(57)【特許請求の範囲】
【請求項１】
略円筒状のシャボン玉発生器の殻体と、
前記殻体の側面に透明材料で形成され前記殻体の軸に垂直な方向において対向するように設けられている第一凹口および第二凹口と、
前記第一凹口内に設けられ、図形が付されているフィルムと、
前記第一凹口上に設けられている凸レンズ外蓋とを備え、
前記第二凹口は、板バネが設けられているカバー、ランプ台および電池が設けられている発光装置を有し、
前記カバーの板バネが押圧されると、電源が供給され前記ランプが前記第二凹口の内部方向へ発光し、前記第一凹口内部の前記フィルムを照射し、前記凸レンズ外蓋によってフィルム画像は拡大表示されることを特徴とするシャボン玉玩具。
【請求項２】
前記第二凹口は、図形が付されているフィルムおよび凸レンズ外蓋が設けられていることを特徴とする請求項１記載のシャボン玉玩具。
【請求項３】
前記第二凹口内には、音楽すずが設けられていることを特徴とする請求項１記載のシャボン玉玩具。
【請求項４】
略円筒状のシャボン玉発生器の殻体と、
前記殻体の側面に形成されている第一凹口と、
前記殻体の軸に垂直な方向において前記第一凹口に対向する側面に突出して形成されている凸レンズ部と、
前記第一凹口の底面に形成されている立体図形とを備え、
前記殻体の軸に垂直な方向において前記第一凹口に対向する面に突出して形成されている前記凸レンズ部により前記立体図形の正面を拡大表示可能であることを特徴とするシャボン玉玩具。
【請求項５】
シャボン玉発生器の殻体と、
前記殻体に設けられている第一凹口と、
前記第一凹口底面に形成されている立体図形と、
前記第一凹口に取り付けられる半球形カバーとを備え、
充填されている半透明の粘性材料により前記立体図形は拡大表示可能であることを特徴とするシャボン玉玩具。
【発明の詳細な説明】
【０００１】
【発明の属する技術分野】
本発明は、玩具の改善に関するもので、特に活用できる図形の発光効果のあるシャボン玉玩具を提供し、シャボン玉玩具に商業広告と自己交換による違った図形効果を持たせるものである。
【０００２】
【従来の技術】
一般のシャボン玉玩具はシャボン玉を吹き出す作用だけであり、機能的にやや単調であるため、新しい製品では文具またはその他類似した玩具と連結するように設計され、それによって付加価値をつける。
【０００３】
【発明が解決しようとする課題】
ところが、このような玩具はコマーシャルを主題とする構造に乏しく、販売市場が玩具市場に限られている。
したがって、本発明の主な目的は、図形構造の設計のあるシャボン玉玩具を提供するものである。
【０００４】
【課題を解決するための手段】
本考案の請求項１記載のシャボン玉玩具によると、ひとつの側面に第一凹口が設けられ対向した側面に第二凹口が設けられ前記第一凹口に図形フィルムと凸レンズ外蓋が設置され前記第二凹口内に発光装置が設置され第一凹口内のフィルムを内側から照射することで、光照図形の設計のあるシャボン玉玩具となり光による表現の効果を持つことができる。
【０００５】
本考案の請求項２記載のシャボン玉玩具によると、請求項１に記載した発光装置の代わりに図形フィルムと凸レンズ外蓋を設置することも可能である。
本考案の請求項３記載のシャボン玉玩具によると、請求項１に記載した発光装置の代わりに音楽すずが設置されることで、音声による効果が提供できる。
【０００６】
本考案の請求項４記載のシャボン玉玩具によると、殻体の側面に設けられている凹口部の底面に立体図形が形成され、対向する側面に突出して形成されている凸レンズ部で前記立体図形正面を拡大表示可能である。
本考案の請求項５記載のシャボン玉玩具によると、底面に立体図形が形成されている凹口が殻体の一面に設けられ前記凹口には半球形のカバーが設置されその中には半透明の粘性材料が充填されている。半透明の粘性材料と半球形のカバーとで凸レンズの効果があり立体図形は拡大表示可能である。更に充填されている半透明の粘性材料は取り出して使用することが可能である。
【０００７】
【発明の実施の形態】
以下、本発明の実施例を図面に基づいて説明する。
図１は従来のシャボン玉発生器であり回転筆記具が付加されているものである。
図２に示すように本考案請求項１のシャボン玉玩具には、二つの対照する側面に設けられシャボン玉発生器１の殻体より一体に凹入形成された第一凹口２、第二凹口３と、図形フイルム４、凸レンズ外蓋５および発光装置６が設置されている。シャボン玉発生器１の接液器９はシャボン玉発生器１内に取り付けることができる。第一凹口２と第二凹口３とはその間の距離が短く発光装置による照射距離が短縮される。第一凹口２内には図形フイルム４が入れられその上に凸レンズ外蓋５が設置されている。第二凹口３内には発光装置６が設置されている。
【０００８】
図形フイルム４は透明のフイルムに各種文字、図形、符号、写真、または商標等図形を印刷したもので、注文者の需要によって変化および自由に選択することが可能である。凸レンズ外蓋５の周縁と第一凹口２の周縁の形状は互いに合致し、かつ緊密な圧接関係であり、第一凹口２内にフィルムが圧入された後拡大された図形を見ることができる。シャボン玉発生器１には溝１１が設けられているので、指または工具によってこの空間から凸レンズ外蓋５を取り外すことができ違った図形フイルム４と交換することができる。
【０００９】
図３に示すように発光装置６はランプ台６１、電池６２およびカバー６３を含む。発光装置６には電球６１１が取り付けられ、＋−導電線は一方が電池６２の内外面に接続され、他方は外側面とはある距離が保たれている。カバー６３には板ばね６３１および欠口６３２が設けられ、その欠口６３２がランプ台６１の導電線を電池の外側面へ引き出すためのものであり、板ばね６３１を押すとその導電線と電池６２が接触し、ランプ台６１の電球６１１は第二凹口３の内面に向かって発光する。
【００１０】
また、上述第一凹口２および第二凹口３の凹入箇所はともに透明の材料から作られ、発光装置６の光源はシャボン玉発生器１の殻体を通って図形フイルムを照射する。具体的実施例においてシャボン玉発生器１の殻体はすべて透明材料から作られていることも可能である。本発明の接液器９は請求人が前に出願した変体菱形接液環の特許を採用することで、やや大きい中空の空間が設けられ、光源の遮断を避けることができる。
【００１１】
本発明が提供する構造は違った図形フイルム４を便利に取り付け、交換することができ、活用と広告の機能があり、かつ拡大と発光して表す効果があり、製品の価値を大幅に向上することができる。
【００１２】
図４に示すように、本考案請求項１の実施例においてシャボン玉発生器には第一凹口２だけが設けられて図形フイルム４および凸レンズ外蓋５が取り付けられ、第一凹口２の対向する側面には凹口が設けられていない場合もある。
図５に示すように、シャボン玉発生器１には第一凹口２および第二凹口３が設けられていて、両方の凹口に図形フイルム４および凸レンズ外蓋５が取り付けられており、そのために図形を両面に表すことができるが、光線を照射する機能はない。
【００１３】
図６に示すように、第二凹口３内に音楽すずが設けられ、図形を表すことと音楽を発生させる機能とを持たせることができる。
図７に示すように、外形を筆記具などの付加価値をつけずに形成することも可能である。
【００１４】
図８に示すように、シャボン玉発生器１の側面には殻体の一体凹陥によって第一凹口２が形成されており、対向する側面には突出して形成されている凸レンズ部３’を有し、第一凹口２の底面には立体図形２１があり、それは凸レンズ部３’により拡大された立体図形２１の正面図としてみることが可能である。図９は、図８を上部から見たものである。
【００１５】
図１０に示すように、シャボン玉発生器１の一面は殻体の凹陥によって第一凹口２が形成され、その第一凹口２の底面には立体図形２２が設けられ、第一凹口２の外部に半球形のカバー５’が設けられてあり、カバー５’と第一凹口２の間の空間には半透明の粘性材料１０が充填されており、そのために透明のカバー５’から拡大された立体図面２２を見ることができる。また、半透明粘性材料１０を取り出して使用することもできる。図１１は図１０の垂直方向断面図である。
【図面の簡単な説明】
【図１】本発明の第一実施例によるシャボン玉玩具を示す組合せ立体図である。
【図２】本発明の第一実施例によるシャボン玉玩具を示す主体分解図である。
【図３】本発明の第一実施例によるシャボン玉玩具を示す主構造部分の断面図である。
【図４】本発明の第二実施例によるシャボン玉玩具を示す部分断面平面図である。
【図５】本発明の第三実施例によるシャボン玉玩具を示す部分断面平面図である。
【図６】本発明の第四実施例によるシャボン玉玩具を示す部分断面平面図である。
【図７】本発明の第五実施例によるシャボン玉玩具を示す立体図である。
【図８】本発明の第六実施例によるシャボン玉玩具の凸レンズ部を示す模式図である。
【図９】本発明の第六実施例によるシャボン玉玩具を上部から見た概略図である。
【図１０】本発明の第七実施例によるシャボン玉玩具を示す立体図である。
【図１１】本発明の第七実施例によるシャボン玉玩具を示す断面図である。
【符号の説明】
１    シャボン玉発生器
２    第一凹口
３    第二凹口
３’  凸レンズ部
４    図形フイルム
５    凸レンズ外蓋
５’  カバー
６    発光装置
７    音楽すず
８    筆
９    接液器
１０    粘性材料
１１    溝
２１    立体図形
２２    立体図形
６１    ランプ台
６２    電池
６３    カバー
６１１    電球
６３１    板ばね
６３２    欠口
【図１】
0003540712.tif 000002
【図２】
0003540712.tif 000003
【図３】
0003540712.tif 000004
【図４】
0003540712.tif 000005
【図５】
0003540712.tif 000006
【図６】
0003540712.tif 000007
【図７】
0003540712.tif 000008
【図８】
0003540712.tif 000009
【図９】
0003540712.tif 000010
【図１０】
0003540712.tif 000011
【図１１】
0003540712.tif 000012